(57)【要約】【課題】建物内に設ける柱や耐震壁の設置数を低減し、かつ、柱や耐震壁を細径化することで、大空間を設ける。【解決手段】高層耐震建物１は、建物内周部１Ｂと建物外周部１Ａに２重にチューブ構造を有する高層耐震建物１であって、建物内周部１Ｂは、複数階に跨ぐ大規模ブレース６５と複数の柱６１が併設された内周チューブ架構６０で形成され、建物外周部１Ａには、複数の柱が並設された外周チューブ架構を備えている。【選択図】図３
2018162552.tif 000002
【特許請求の範囲】
【請求項１】
建物内周部と建物外周部に２重にチューブ構造を有する高層耐震建物であって、
前記建物内周部は、複数階に跨ぐ大規模ブレースと複数の鉛直部材が併設された内周チューブ架構で形成され、
前記建物外周部には、複数の鉛直部材が並設された外周チューブ架構を備えていることを特徴とする高層耐震建物。
【請求項２】
前記内周チューブ架構と前記外周チューブ架構は、上層階に設置されたメガトラス層により連結されているとともに、当該内周チューブ架構は建物の上層階部に形成され、
該内周チューブ架構の下端は、前記外周チューブ架構に接合されていることを特徴とする請求項１に記載の高層耐震建物。
【請求項３】
前記内周チューブ架構は、吹き抜け部を形成する柱梁構面に設けられ、かつ当該柱梁構面の構面厚さ内に大規模ブレースが収容されていることを特徴とする請求項１または２に記載の高層耐震建物。
【発明の詳細な説明】
【技術分野】
【０００１】
本発明は、高層建物の架構構造において、建物内周部と建物外周部に其々、平面視においてロ型状をなすように、狭い間隔にて複数の柱列体が配置されたダブルチューブ構造（外殻構造）による高層耐震建物に関する。
【背景技術】
【０００２】
高層ビルディング等の建築構造物において、建築構造物の躯体を、上下方向に連続するチューブ状の架構（以下、これをチューブ架構と称する）を用いて構成し、耐震性能を高めたものがある。
特許文献１〜３には、建築構造物の外周部に設けられた外周チューブ架構と、外周チューブ架構の内側に設けた内周チューブ架構とからなる２重のチューブ構造とした構成が開示されている。このような構成によれば、躯体を２重のチューブ構造とすることで、高い耐震性能を実現している。
しかし、特許文献１〜３に開示されたような２重のチューブ構造を有する建築構造物では、各チューブ架構の強度を高めるために、柱や耐震壁を増やしたり、柱の太径化を図る必要がある。その結果、太径柱や厚肉化された耐震壁が配置された建築構造物では、居室等のレイアウトが制限されるとともに、大空間を設けることが困難となっている。
【先行技術文献】
【特許文献】
【０００３】
【特許文献１】特開平２−３５１３８号公報
【特許文献２】特開２００４−１６９４２０号公報
【特許文献３】特開２００５−６８７９４号公報
【発明の概要】
【発明が解決しようとする課題】
【０００４】
本発明は、建物の外周部構面と、内周部構面に其々複数の柱が集中的に配置されたダブルチューブ構造において、内周チューブ架構の曲げ変形を抑制するとともに、居住空間にブレース材を突出させることなく、大空間居室を設けることが可能な高層耐震建物を提供することを課題とする。
【課題を解決するための手段】
【０００５】
本発明者らは、吹き抜け部を有する建物において、吹き抜け部を囲む柱梁構面に、複数階に跨ぐ大規模ブレースを併用する内周チューブ架構を設置するとともに、建物の外周柱梁構面には外周チューブ架構を設けて、双方のチューブ架構同士を建物上層階に設置されるメガトラス層で連結させることで、建物内に設ける柱や耐震壁の設定数を低減し、かつ柱や耐震壁の断面が縮小化されるために、居室空間の平面計画を阻害しない点に着眼して、本発明の高層耐震建物に至った。
本発明は、上記課題を解決するため、以下の手段を採用する。
すなわち、第一の発明の高層耐震建物は、建物内周部と建物外周部に２重にチューブ構造を有する高層耐震建物であって、前記建物内周部は、複数階に跨ぐ大規模ブレースと複数の鉛直部材が併設された内周チューブ架構で形成され、前記建物外周部には、複数の鉛直部材が並設された外周チューブ架構を備えていることを特徴とする。
このような構成によれば、内周チューブ架構に複数階に跨ぐ大規模ブレースと複数の鉛直部材を併設させることで、内周チューブ架構を形成する複数の鉛直部材と、大規模ブレースによって建物内周部の柱梁構面の強度と剛性が高められるために、建物の曲げ変形を抑制できる。
また、複数階を跨ぐ大規模ブレースは、複数階の其々に、大規模ブレースと同様の材料強度と断面形状を有するブレース材を設置する場合に比べて、せん断変形に対するせん断強度とせん断剛性は高く、優れた建物の耐震安全性能が確保できる。
具体的には、複数階に亘って各階ごとに設置されたブレースは、各階ごとのブレース材が直列バネ形式で連結された等価なせん断剛性モデルとしてせん断抵抗することになり、結果として、全体のせん断剛性が個々のブレース材の剛性より低下することになる。
これに対して、大規模ブレースは、各階を横切るブレース位置は限定されるものの、せん断強度、及びせん断剛性は単体の断面形状と部材長さより決定されるために、ブレースを配置する建物部分（例えば、上層階部）に必要な強度と剛性を確保するには、ブレース材単体を設計することで実現できる。
また、大規模ブレースは、建物コア部に相当する内周チューブ架構の複数の鉛直部材に併設させて、ブレース材下端部の下層階よりブレース材上端部の上層階に至る建物の上層階部分（例えば、上層階部）に設置することで、上層階部分を単一構造体として地震荷重に対してせん断抵抗させることができるために、地震時に生じる建物の曲げ変形を低減できる。
上記のように、大規模ブレースによって効率的に強化した内周チューブ架構と、外周チューブ架構とを備えて構成した立体的なフレーム群によって、地震力に対して効果的に抵抗することができる。これにより、高層耐震建物内に設ける柱や耐震壁の設置数を低減し、柱や耐震壁を細径化することが可能となる。したがって、高層耐震建物内に形成する居室等の空間を、より大きく形成することができる。
【０００６】
また、第二の発明の高層耐震建物では、前記内周チューブ架構と前記外周チューブ架構は、上層階に設置されたメガトラス層により連結されているとともに、当該内周チューブ架構は建物の上層階部に形成され、該内周チューブ架構の下端は、前記外周チューブ架構に接合されていることを特徴とする。
このような構成によれば、上述の作用効果に加えて、内周チューブ架構と外周チューブ架構がメガトラス層によって連結されていることで、内周チューブ架構と外周チューブ架構を其々鉛直抵抗要素とし、メガトラス層で一体化された立体的なフレーム群で構成されたダブルチューブ構造による高層耐震建物が実現される。ダブルチューブ構造は、地震荷重や風荷重に対する耐震抵抗要素が建物内周構面と建物外周構面に集約されたメガストラクチャーであり、居室の平面計画上の自由度を確保することができる。
また、内周チューブ架構を上層階部に設けることで、内周チューブ架構の下層階側で異なる構造形式で高層耐震建物を実現できるために、建物内の居室の設計自由度を高めることができる。
また、内周チューブ架構は、下端部が外周チューブ架構に接合されることで、内周チューブ架構が負担している鉛直荷重や地震荷重を、建物外周部の外周チューブ架構にスムーズに伝達することができる。その結果、建物下層階では、内周チューブ架構が設けられていなく、建物外周部の外周チューブ架構のみが主要な構造抵抗機構となるために、建物内の平面計画を阻害する柱や耐震壁などの構造部材を低減することができる。
【０００７】
第三の発明の高層耐震建物では、前記内周チューブ架構は、吹き抜け部を形成する柱梁構面に設けられ、かつ当該柱梁構面の構面厚さ内に大規模ブレースが収容されていることを特徴とする。
このような構成によれば、上述の作用効果に加えて、内周チューブ架構を、吹き抜け部を形成する柱梁構面内に設けることで、高層耐震建物内における居室等のレイアウトの自由度を高めることができる。また、大規模ブレースは、内周チューブ架構を備えた柱梁構面の構面厚さの内側に設置され、ブレース材が居室側に突出していないことで、居室等の配置計画を阻害しない形式のダブルチューブ構造による高層耐震建物を実現することができる。
【発明の効果】
【０００８】
本発明によれば、内周部構面に、複数階に跨ぐ大規模ブレースと内周チューブ架構を併設するとともに、建物の外周部構面に外周チューブ架構を設けることで、建物内に大空間居室を確保することが可能な、高層耐震建物を実現することができる。
【図面の簡単な説明】
【０００９】
【図１】本発明の実施形態に係る高層耐震建物の構成を示す正面図である。
【図２】図１の高層耐震建物の概略構成を示す斜視図である。
【図３】図１の高層耐震建物の内周部柱梁構面に設置された大規模ブレースと内周チューブ架構を示す斜視図である。
【図４】図３の内周チューブ架構を示す正面図である。
【図５】図３の大規模ブレースの交差部分を示す拡大図である。
【図６】図１の高層耐震建物の上層階部の平面図である。
【発明を実施するための形態】
【００１０】
本発明は、吹き抜け部を有する高層建物において、吹き抜け部に接する内周部構面に、複数階に跨ぐ大規模ブレースが併設された内周チューブ架構を設けるとともに、建物の外周部構面に外周チューブ架構を設けられ、双方のチューブ架構同士がメガトラス層で連結されたダブルチューブ構造による高層耐震建物である。
本発明の特徴の１つは、吹き抜け部に接する内周部構面に、複数階に跨ぐ大規模ブレースが併設された内周チューブ架構を設けるとともに、建物の外周部構面に外周チューブ架構を配置されたダブルチューブ構造である点である。また、２つ目の特徴は、大規模ブレースを併設する内周チューブ架構が上層階部に設けられ、かつ当該内周チューブ架構の下端が外周チューブ架構に接合された高層耐震建物である点である。
以下、添付図面を参照して、本発明による高層耐震建物を実施するための形態について、図面に基づいて説明する。
本発明の実施形態に係る高層耐震建物の構成を示す正面図を図１に示す。図１の高層耐震建物の概略構成を示す斜視図を図２に示す。
図１、図２に示されるように、高層耐震建物１は、下部構造部１０と、上部構造部２０と、を備えている。
下部構造部１０は、地盤Ｇ中に構築された基礎杭（図示無し）上に支持されている。下部構造部１０は、鉄骨鉄筋コンクリート（ＳＲＣ）造からなる複数本の下部柱１１と、互いに隣接する下部柱１１どうしの間に架設された下部梁１２と、を備えている。
上部構造部２０は、下部構造部１０上に支持されている。上部構造部２０は、上下方向に複数階を有している。上部構造部２０は、下部構造部１０上に設けられた下層階部２０Ｌと、下層階部２０Ｌの上方に設けられた中間階部２０Ｍと、中間階部２０Ｍの上方に設けられた上層階部２０Ｈと、第一構造切換層３０と、第二構造切換層４０と、を備えている。
【００１１】
上部構造部２０の下層階部２０Ｌは、鉛直方向の上下に延びる柱２１Ｌと梁２２Ｌとからなるラーメン構造である。下層階部２０Ｌの角部には、鉛直方向の上下に延びる柱２１Ｌｃが配置されている。下層階部２０Ｌを構成する各柱２１Ｌは、下部構造部１０の各下部柱１１上に支持され、各柱２１Ｌで支持する荷重が各下部柱１１に伝達されている。
上部構造部２０の中間階部２０Ｍは、鉛直方向の上下に延びる柱２１Ｍと、互いに隣接する柱２１Ｍ間に架設された梁２２Ｍと、を備えたラーメン構造である。中間階部２０Ｍにおいて、各階の角部２３Ｍには、上下方向に延びる柱２１Ｍは配置されておらず、柱２１Ｍは、角部２３Ｍから、中間階部２０Ｍの外側面に沿って水平方向にオフセットした位置に配置されている。
【００１２】
図２に示されるように、上部構造部２０の上層階部２０Ｈは、建物外周部１Ａに設けられた外周チューブ架構５０と、建物内周部１Ｂに設けられた内周チューブ架構６０と、を備えている。すなわち、内周チューブ架構６０は建物１の上層階部２０Ｈに形成されている。
図１、図２に示されるように、外周チューブ架構５０は、鉛直方向の上下に延びる柱５１と、互いに隣接する柱５１，５１間に架設された梁５２と、を備えている。この外周チューブ架構５０は上層階部２０Ｈの建物外周部１Ａに沿って設けられ、平面視矩形で上下方向に連続する筒状をなしている。外周チューブ架構の柱５１は、４５０ｍｍ×４５０ｍｍのロ型状の建築構造用プレス成形角形鋼管ＢＣＰ３２５（鋼材厚さ１９ｍｍ）で形成されている。
【００１３】
図１の高層耐震建物に設けられた内周チューブ架構を示す斜視図を図３に示す。図３の内周チューブ架構を示す正面図を図４に示す。
図３、図４に示されるように、内周チューブ架構６０は、鉛直方向の上下に連続する柱６１と、互いに隣接する柱６１，６１間に架設された梁６２と、大規模ブレース６５と、を備えている。内周チューブ架構６０は、外周チューブ架構５０の内側に、外周チューブ架構５０とは水平方向に間隔を空けて設けられている。内周チューブ架構の柱６１は、外周チューブ架構の柱より地震荷重を多く負担させるために、外柱サイスより大口径とし、６００ｍｍ×６００ｍｍのロ型状の建築構造用プレス成形角形鋼管ＢＣＰ３２５（鋼材厚さ２２ｍｍ）で形成されている。
大規模ブレース６５は、内周チューブ架構６０の四方の各構面に設けられている。各構面において、大規模ブレース６５は、上層階部２０Ｈの最下階から上層階部２０Ｈの上部に設定された所定階までの複数階に跨がるように連続して設けられている。大規模ブレース６５はＸ字状に交差する２本のブレース材６６，６６から構成されている。各ブレース材６６は、内周チューブ架構６０の各構面に沿って斜め方向に延び、上端部６６ａが上層階部２０Ｈの上部に設定された所定階の柱６１と梁６２との接合部に接合され、下端部６６ｂが上層階部２０Ｈの最下階の柱６１と梁６２との接合部に接合されている。ブレース材６６は、６００ｍｍ×４５０ｍｍのロ型状の工場溶接構管（鋼材厚さ５５ｍｍ）であり、各階の梁との接合位置では、鋼管内外に補強用構板が補剛溶接されている。
内周チューブ架構に備えた大規模ブレースの交差部分を示す拡大図を図５に示す。
図５に示されるように、二本一対のブレース材６６が交差する部分においては、Ｘ字状の仕口部材６９が設けられ、この仕口部材６９に、各ブレース材６６と柱６１と梁６２がそれぞれ接合されている。
【００１４】
図３、図４に示されるように、上層階部２０Ｈには、大規模ブレース６５の直上階に、メガトラス層６７が設けられている。
メガトラス層６７は、内周チューブ架構６０においては、上下に位置する２本の梁６２，６２と互いに隣接する２本の柱６１，６１との間に斜め方向に延びて設けられたトラスビーム６８を備えている。
また、図４に示されるように、メガトラス層６７は、内周チューブ架構６０と外周チューブ架構５０の間においては、トラス状の連結ブレース２７を備えており、内周チューブ架構６０と外周チューブ架構５０は、連結ブレース２７によって連結されている。
更に、図２に示されるように、メガトラス層６７は、外周チューブ架構５０において、トラスビーム６８と同様にトラス状に設けられた外周トラスビーム５８を備えている。
このようなメガトラス層６７が設けられることで、内周チューブ架構６０と外周チューブ架構５０は、その上部が強固に補強されている。
【００１５】
内周チューブ架構の平面図を図６に示す。図６は、図１のＡ−Ａ部分の断面図である。
図６に示されるように、内周チューブ架構６０の内側には、連結架構７０が設けられている。連結架構７０は、内周チューブ架構６０において互いに対向する二つの構面６０Ａ，６０Ｂに平行に設けられている。連結架構７０は、これら二つの構面６０Ａ，６０Ｂを結ぶ方向において間隔を空けて二組が配置されている。各連結架構７０は、内周チューブ架構６０において、残る二つの構面６０Ｃ，６０Ｄ同士を結ぶように設けられている。各連結架構７０は、上下方向に連続する柱７１と、互いに隣接する柱７１，７１間に架設された梁７２とから構成されている。
ここで、連結架構７０を構成する柱７１は、中間階部２０Ｍの柱２１Ｍ、および下層階部２０Ｌの柱２１Ｌの鉛直上方に設けられている。
ここで、上層階部２０Ｈの各階において、互いに対向する連結架構７０、７０同士を小梁７３で連結し、これらの小梁７３上に図示しない床版を敷設して床面を形成することができる。
【００１６】
上層階部２０Ｈには、内周チューブ架構６０の内側に、吹き抜け部Ｈが形成されている。吹き抜け部Ｈは、内周チューブ架構６０の内側で、連結架構７０、７０を挟んでその両側にそれぞれ設けられている。このようにして、内周チューブ架構６０は、吹き抜け部Ｈの内周面Ｈｆを形成する柱梁構面に設けられている。内周チューブ架構６０の四方の各構面に設けられている大規模ブレース６５は、居室側にブレース材６６が突出しないように、内周チューブ架構６０の柱梁構面６０Ａ、６０Ｂ、６０Ｃ、６０Ｄの構面厚さ内に収納されている。
【００１７】
また、上層階部２０Ｈの各階において、内周チューブ架構６０と外周チューブ架構５０との間に、小梁５５を設け、これらの小梁５５上に図示しない床版を敷設することで、各階の床面を形成することができる。
【００１８】
図３に示されるように、第一構造切換層３０は、上部構造部２０の下層階部２０Ｌと中間階部２０Ｍとの間に設けられている。第一構造切換層３０は、連結柱３１と、連結ビーム３２と、を備えている。
連結柱３１は、中間階部２０Ｍの各柱２１Ｍと、その鉛直下方に位置する下層階部２０Ｌの各柱２１Ｌとを連結する。
連結ビーム３２は、中間階部２０Ｍの角部２３Ｍにおいて、角部２３Ｍを挟んでその両側にオフセットして設けられた２本の柱２１Ｍｅ，２１Ｍｅと、下層階部２０Ｌの角部に位置する１本の柱２１Ｌｃとを連結する。この連結ビーム３２は、Ｖ字状をなし、その上端部３２ａ，３２ａが中間階部２０Ｍの角部２３Ｍの両側に設けられた２本の柱２１Ｍｅ，２１Ｍｅにそれぞれ連結され、下端部３２ｂが、下層階部２０Ｌの角部に位置する１本の柱２１Ｌｃに連結されている。
【００１９】
第二構造切換層４０は、図３に示されるように、上部構造部２０の中間階部２０Ｍと上層階部２０Ｈとの間に設けられている。第二構造切換層４０は、上層階部２０Ｈの内周チューブ架構６０と中間階部２０Ｍとを連結するため、連結ビーム４１と、角部連結ビーム４２と、を備えている。
連結ビーム４１は、下方に向かって外周側に傾斜して延び、上層階部２０Ｈの内周チューブ架構６０の柱６１の下端部と、中間階部２０Ｍの外側面に位置する柱２１Ｍの上端部（外周チューブ架構６０の柱）とを連結する。角部連結ビーム４２は、下方に向かって外周側に傾斜して延び、上層階部２０Ｈの内周チューブ架構６０の角部に設けられた柱６１ｃ及び大規模ブレース６５のブレース材６６の下端部６６ｂと、中間階部２０Ｍの角部２３Ｍの両側にオフセットして設けられた２本の柱２１Ｍｅ，２１Ｍｅとを連結する。この角部連結ビーム４２は、逆Ｖ字状をなし、その上端部４２ａは、内周チューブ架構６０の角部の柱６１ｃ及び大規模ブレース６５の下端部６６ｂに接続されている。角部連結ビーム４２の下端部４２ｂは、中間階部２０Ｍの角部２３Ｍの両側に設けられた２本の柱２１Ｍｅ，２１Ｍｅの上端部にそれぞれ連結されている。
【００２０】
また、図２に示されるように、第二構造切換層４０は、上層階部２０Ｈの外周チューブ架構５０と中間階部２０Ｍとを連結するため、連結柱４５と、連結ビーム４６と、を備えている。連結柱４５は、鉛直上下方向に延び、外周チューブ架構５０の柱５１と、中間階部２０Ｍの柱２１Ｍとを連結する。連結ビーム４６は、逆Ｖ字状をなし、外周チューブ架構５０の角部に設けられた柱５１ｃと、中間階部２０Ｍの角部２３Ｍの両側にオフセットして設けられた２本の柱２１Ｍｅ，２１Ｍｅとの間に設けられている。この連結ビーム４６は、その上端部４６ａが外周チューブ架構５０の角部に設けられた柱５１ｃの下端部に接続され、下端部４６ｂが中間階部２０Ｍの角部２３Ｍの両側に設けられた２本の柱２１Ｍｅ，２１Ｍｅの上端部にそれぞれ連結されている。
【００２１】
このような構成の高層耐震建物１において、上層階部２０Ｈは外周チューブ架構５０と内周チューブ架構６０とからなる二重のチューブ構造をなしている。この上層階部２０Ｈでは、内周チューブ架構６０に大規模ブレース６５が併設され、建物内周部では強固に一体化されている。さらに、内周チューブ架構６０の上部にはメガトラス層６７が設けられているので、内周チューブ架構６０はさらに強固に構成されている。
そして、このような内周チューブ架構６０のメガトラス層６７と外周チューブ架構５０とは、メガトラス層６７にて、互いに連結されている。これにより、内周チューブ架構６０と外周チューブ架構５０とが、その上部において強固に連結されている。
さらに、第二構造切換層４０に設けられた連結ビーム４１，角部連結ビーム４２，連結柱４５，連結ビーム４６によって、内周チューブ架構６０は、その下端において外周チューブ架構５０に接合されている。これにより、内周チューブ架構６０と外周チューブ架構５０とは、その上下において強固に連結されている。
また、第二構造切換層４０に設けられた連結ビーム４１、角部連結ビーム４２によって、内周チューブ架構６０の鉛直荷重の一部は、中間階部２０Ｍの外側面に位置する柱２１Ｍに伝達される。
また、中間階部２０Ｍにおいては、その角部２３Ｍからオフセットした位置に柱２１Ｍが設けられているので、中間階部２０Ｍの角部２３Ｍの室内レイアウトの自由度を高めることができる。
さらに、第一構造切換層３０に設けられた連結ビーム３２によって、中間階部２０Ｍで角部２３Ｍの両側にオフセットして設けられた柱２１Ｍｅ，２１Ｍｅの荷重を、下層階部２０Ｌの角部に設けられた柱２１Ｌｃに伝達することができる。
【００２２】
上述したような高層耐震建物１によれば、建物内周部１Ｂと建物外周部１Ａに２重にチューブ構造であって、建物内周部１Ｂは、複数階に跨ぐ大規模ブレース６５と複数の柱６１が併設された内周チューブ架構６０で形成され、建物外周部１Ａには、複数の柱５１が並設された外周チューブ架構５０を備えている。
このような構成によれば、内周チューブ架構６０に複数階に跨ぐ大規模ブレース６５と複数の柱６１を併設させることで、内周チューブ架構６０を形成する複数の柱６１と、大規模ブレース６５によって建物内周部の柱梁構面６０Ａ、６０Ｂ、６０Ｃ、６０Ｄの強度と剛性が高められるために、建物１の曲げ変形を抑制できる。
また、複数階を跨ぐ大規模ブレース６５は、複数階の其々に、大規模ブレース６５と同様の材料強度と断面形状を有するブレース材を設置する場合に比べて、せん断変形に対するせん断強度とせん断剛性は高く、優れた建物１の耐震安全性能が確保できる。
具体的には、複数階に亘って各階ごとに設置されたブレースは、各階ごとのブレース材が直列バネ形式で連結された等価なせん断剛性モデルとしてせん断抵抗することになり、結果として、全体のせん断剛性が個々のブレース材の剛性より低下することになる。
これに対して、大規模ブレース６５は、各階を横切るブレース位置は限定されるものの、せん断強度、及びせん断剛性は単体の断面形状と部材長さより決定されるために、ブレースを配置する建物部分（例えば、上層階部２０Ｈ）に必要な強度と剛性を確保するには、ブレース材単体を設計することで実現できる。
また、大規模ブレース６５は、建物コア部に相当する内周チューブ架構６０の複数の柱６１に併設させて、ブレース材６６下端部６６ｂの下層階よりブレース材６６上端部６６ａの上層階に至る建物の上層階部分（例えば、上層階部２０Ｈ）に設置することで、上層階部分を単一構造体として地震荷重に対してせん断抵抗させることができるために、地震時に生じる建物１の曲げ変形を低減できる。
さらに、大規模ブレース６５は、複数階を跨ぐように配置され、個々のブレース材６６の材端部６６ｂを建物外周部の角部２３Ｍの柱２１Ｍに連結されることで、大規模ブレース６５に負担された地震荷重が建物の下層階部分の柱２１Ｍへ伝達されるために、地震発生時に作用する建物１の浮き上がり回転に伴う建物１の角部２３Ｍの柱２１Ｍに加わる上向き引き抜き力を抑止させることができる。
上記のように、大規模ブレース６５によって効率的に強化した内周チューブ架構６０と、外周チューブ架構５０とを備えて構成した立体的なフレーム群によって、地震力に対して効果的に抵抗することができる。これにより、高層耐震建物１内に設ける柱や耐震壁の設置数を低減し、柱や耐震壁を細径化することが可能となる。したがって、高層耐震建物１内に形成する居室等の空間を、より大きく形成することができる。
【００２３】
また、高層耐震建物１においては、内周チューブ架構６０と外周チューブ架構５０は、上層階に設置されたメガトラス層６７で連結されているとともに、内周チューブ架構６０は建物１の上層階部２０Ｈに形成され、内周チューブ架構６０の下端は、外周チューブ架構５０に接合されている。
このような構成によれば、内周チューブ架構６０と外周チューブ架構５０がメガトラス層６７によって連結されていることで、内周チューブ架構６０と外周チューブ架構５０を其々鉛直抵抗要素とし、メガトラス層６７で一体化された立体的なフレーム群で構成されたダブルチューブ構造による高層耐震建物１が実現される。ダブルチューブ構造は、地震荷重や風荷重に対する耐震抵抗要素が建物内周構面と建物外周構面に集約されたメガストラクチャーであり、居室の平面計画上の自由度を確保することができる。
また、内周チューブ架構６０を上層階部２０Ｈに設けることで、内周チューブ架構６０の下層階側で異なる構造形式で高層耐震建物を実現できるために、建物内の居室の設計自由度を高めることができる。
また、内周チューブ架構６０は、下端部が外周チューブ架構５０に接合されることで、内周チューブ架構６０が負担している鉛直荷重や地震荷重を、建物外周部の外周チューブ架構５０にスムーズに伝達することができる。その結果、建物下層階では、内周チューブ架構６０が設けられていなく、建物外周部の外周チューブ架構５０のみが主要な構造抵抗機構となるために、建物内の平面計画を阻害する柱や耐震壁などの構造部材を低減することができる。
また、内周チューブ架構６０と外周チューブ架構５０とを、メガトラス層６７で連結することで、内周チューブ架構６０と外周チューブ架構５０との間に設けられる各階の床スラブ断面内にて高密度配筋を行い、双方のチューブ架構５０、６０同士を一体化させる必要はなく、一般的な接合方法で建物１を形成できる。したがって、小梁５５の細径化や床スラブの薄肉化を図ることができ、部材の軽量化、各階の天井高の増加を図ることもできる。
【００２４】
また、高層耐震建物１の内周チューブ架構６０は、吹き抜け部Ｈを形成する柱梁構面に設けられ、かつ柱梁構面の構面厚さ内に大規模ブレース６５が収容されている。
このような構成によれば、内周チューブ架構６０を、吹き抜け部Ｈを形成する柱梁構面内に設けることで、吹き抜け部Ｈを形成するために柱梁架構を別途設ける必要が無く、高層耐震建物１内における居室等のレイアウトの自由度を高めることが可能となる。また、大規模ブレース６５は、内周チューブ架構６０を備えた柱梁構面の構面厚さの内側に設置され、ブレース材６６が居室側に突出していないことで、居室等の配置計画を阻害しない形式のダブルチューブ構造による高層耐震建物１を実現することができる。
【００２５】
また、内周チューブ架構６０と外周チューブ架構５０とは、その上部に設けられたメガトラス層６７と、その下部に設けられた第二構造切換層４０の連結ビーム４１，角部連結ビーム４２，連結柱４５，連結ビーム４６によって、上下において強固に連結されている。これによって、高層耐震建物１の耐震性をさらに高めることができる。
【００２６】
また、上記したような内周チューブ架構６０と外周チューブ架構５０は、高層耐震建物１の上層階部２０Ｈに設けられている。このように、高層耐震建物１の上層階部２０Ｈの強度を高めることで、地震力や風による上層階部２０Ｈの揺れを抑えることができる。これによって、高層耐震建物１全体の耐震性を有効に向上させることができる。
【符号の説明】
【００２７】
１      高層耐震建物                  ６１    柱（鉛直部材）
１Ａ    建物外周部                    ６２    梁
１Ｂ    建物内周部                    ６５    大規模ブレース
５０    外周チューブ架構              ６７    メガトラス層
５１    柱（鉛直部材）                Ｈ      吹き抜け部
６０    内周チューブ架構
【図１】
2018162552.tif 000003
【図２】
2018162552.tif 000004
【図３】
2018162552.tif 000005
【図４】
2018162552.tif 000006
【図５】
2018162552.tif 000007
【図６】
2018162552.tif 000008